(57)【要約】      （修正有）【課題】湿度に応じた換気システムの採用によって、必要に応じて最低換気量を確保でき汚染度合いに応じて汚染空気を計画的に屋外に排出でき、また季節に応じて換気量を調節し、夏場の有害物質の発生を抑止し、冬場の過乾燥を防止できる換気システムを提供する。【解決手段】湿度を高低を感知するナイロンリボンと、この両端を挟持しこの収縮に追従して平行に摺動する可動部を有するナイロンリボンフレームと、該ナイロンリボンフレームに一端を固定された弾性体と、該弾性体の一端を巻きつけて保持する軸を備え、該弾性体が伸長すると先端を本体端部方向へ牽引される回動機構と、該回動機構と可動板上に固設されて接続し、開閉ダンパー７の嵌入突起を嵌入した状態で、開閉ダンパーと平行に回動する開閉ダンパー制御手段とを備え、湿度のちがいによるナイロンリボンの伸び量の差によって開閉ダンパの開口面積を所定範囲内で調節できる機構を設ける。【選択図】図８
2008175416.tif 000002
【特許請求の範囲】
【請求項１】
湿度の高低を感知する手段であって、高湿度を感知すると伸長し、低湿度を感知すると収縮するナイロンリボンと、
該ナイロンリボンの両端を挟持し、ナイロンリボンの収縮に追従して平行に摺動する可動部を有するナイロンリボンフレームと、
該ナイロンリボンフレームに一端を固定され、該ナイロンリボンの伸長時に収縮し、該ナイロンリボンが収縮するとき伸長する弾性体と、
該弾性体の一端を巻きつけて保持する軸を備え、該弾性体が伸長すると先端を本体端部方向へ牽引される回動機構と、
該回動機構と可動板上に固設されて接続し、開閉ダンパーの嵌入突起を嵌入した状態で、開閉ダンパーと平行に回動する開閉ダンパー制御手段と、
を備え、
ナイロンリボンが高湿度を感知すると、開閉ダンパー制御手段が本体端部方向へ平行に移動し、それに伴って開閉ダンパーが本体端部へ回動して排気端末開口部の開口面積を増大し、ナイロンリボンが低湿度を感知すると開閉ダンパー制御手段が本体中心部方向へ平行に移動し、それに伴って開閉ダンパーが本体中心部方向へ回動して排気端末開口部の開口面積を減少しようとするが、定めた面積以上には閉口させないこと、
を特徴とする換気ユニット。
【請求項２】
開閉ダンパーの突出端部外周面を、筒状ストッパーの中空部内周面に接するように嵌入し、開口面積調節突起と突出端部との間に筒状ストッパーを介在させることにより、開閉ダンパーの本体端部方向への回動を抑制し、排気端末を定めた面積以上に閉口させることなく、開口面積を無段階に調節すること、
を特徴とする請求項１に記載の換気ユニット。
【請求項３】
モーターの動力を受けて、ホルダー内部で回転するピニオンと噛み合うラック板の先端に、コ字状ストッパーの側面を当接させるように、コ字状ストッパーをラック板台座部上に載置し、該コ字状ストッパーにより、ラック板摺動部が、開閉ダンパーの回動軸先端から回転軸に対して垂直方向に伸びる突出端部の先端から垂直方向に伸びる嵌入突起を、中央部切欠に当接させて軸方向に摺動するのを制御し、排気端末開口部の開口面積を、定めた面積以上に保持するよう、開閉ダンパーの右回動を制御すること、
を特徴とする請求項１に記載の換気ユニット。
【発明の詳細な説明】
【技術分野】
【０００１】
本発明は高気密・高断熱住宅の計画換気に使用される換気ユニットに関する。
【背景技術】
【０００２】
従来、一般的な木造住宅では、建物自体に隙間があるため、通気性に優れ、住宅の換気については、汚染空気の少ない一般居室、寝室等は、窓や障子等の開閉によって対応し、汚染空気の発生しやすい台所、居間、トイレ等は、各々換気装置を設置して対応していた。
【０００３】
しかしながら、近年、耐震性等の安全面や、快適性の向上等から高気密、高断熱住宅が普及しており、増加傾向を続けている。
高気密、高断熱住宅においては、保温性、快適性に優れるが、密閉性が高く、従来の家屋に比べて汚染空気の排出が不十分である。特に、集合住宅や高層住宅等では、構造上窓の開閉が困難な場合があり、局所的な汚染源からの排出汚染空気が室内に滞留する問題が生じている。
【０００４】
また、高気密、高断熱住宅においては、建築材料や家具等から発散する化学物質により、居住者の健康を害する、シックハウスの問題が深刻化している。これらを背景として、建築基準法の改正により、居室環境においては、有効換気量を有する、機械換気設備の設置が義務化された。
【０００５】
そこで、建物の換気システムとして、各居室に一定量の換気を行う一定量換気システムが知られている。
【０００６】
図６は、従来の局所換気を用いた場合の居室内の汚染空気の流通を示す概略図である。
【０００７】
従来の局所換気では、トイレ等、局所的な汚染源からの排出汚染空気が計画的に屋外に排出されない問題があった。そのため、日中に在宅者が時間を過ごす居間等に、排出汚染空気が滞留していた。
【０００８】
夜間も同様に、主に在宅者数が増加する寝室内に局所的な汚染源からの排出汚染空気が滞留していた。
【０００９】
さらに、近年の一定量を換気するシステムでは、湿度に応じた換気調整が計画的に行われていなかった。そのため、気温と湿度が上昇し、ホルムアルデヒト等の有害物質の発散量が増加する夏場と、空気が乾燥する冬場とで換気量を調節することができず、夏場は有害物質の発生が増加し、冬場は過乾燥が発生する等の問題が生じていた。
【発明の開示】
【発明が解決しようとする課題】
【００１０】
上記問題点に鑑み、本発明の目的は、湿度に応じた換気システムを採用し、必要に応じて最低換気量を確保すること及び汚染度合に応じて汚染空気を計画的に屋外へ排出することである。
【００１１】
また、本発明の目的は、季節に応じて換気量を調節し、夏場の有害物質（ホルムアルデヒド等）の発生を抑止し、冬場の過乾燥を防止することである。
【課題を解決するための手段】
【００１２】
上記目的は、請求項１に記載の換気ユニット、即ち、湿度の高低を感知する手段であって、高湿度を感知すると伸長し、低湿度を感知すると収縮するナイロンリボンと、該ナイロンリボンの両端を挟持し、ナイロンリボンの収縮に追従して平行に摺動する可動部を有するナイロンリボンフレームと、該ナイロンリボンフレームに一端を固定され、該ナイロンリボンの伸長時に収縮し、該ナイロンリボンが収縮するとき伸長する弾性体と、該弾性体の一端を巻きつけて保持する軸を備え、該弾性体が伸長すると先端を本体端部方向へ牽引される回動機構と、該回動機構と可動板上に固設されて接続し、開閉ダンパーの嵌入突起を嵌入した状態で、開閉ダンパーと平行に回動する開閉ダンパー制御手段とを備え、ナイロンリボンが高湿度を感知すると、開閉ダンパー制御手段が本体端部方向へ平行に移動し、それに伴って開閉ダンパーが本体端部へ回動して排気端末開口部の開口面積を増大し、ナイロンリボンが低湿度を感知すると開閉ダンパー制御手段が本体中心部方向へ平行に移動し、それに伴って開閉ダンパーが本体中心部方向へ回動して排気端末開口部の開口面積を減少しようとするが、定めた面積以上には閉口させないことを特徴とする換気ユニットによって達成される。
【００１３】
本発明の好ましい実施形態においては、請求項２に記載のように、開閉ダンパーの突出端部外周面を、筒状ストッパーの中空部内周面に接するように嵌入し、開口面積調節突起と突出端部との間に筒状ストッパーを介在させることにより、開閉ダンパーの本体端部方向への回動を抑制し、排気端末を定めた面積以上に閉口させることなく、開口面積を無段階に調節することを特徴とする。
【００１４】
本発明の好ましい実施形態においては、請求項３に記載のように、モーターの動力を受けて、ホルダー内部で回転するピニオンと噛み合うラック板の先端に、コ字状ストッパーの側面を当接させるように、コ字状ストッパーをラック板台座部上に載置し、該コ字状ストッパーにより、ラック板摺動部が、開閉ダンパーの回動軸先端から回転軸に対して垂直方向に伸びる突出端部の先端から垂直方向に伸びる嵌入突起を、中央部切欠に当接させて軸方向に摺動するのを制御し、排気端末開口部の開口面積を定めた面積以上に保持するよう、開閉ダンパーの右回動を制御することを特徴とする。
【発明の効果】
【００１５】
本発明に係る換気ユニットによれば、必要に応じて最低換気量を確保することができ、汚染度合いに応じて汚染空気を速やかに屋外へ排出することができることから、計画的な換気を達成することができる。
【００１６】
また、本発明に係る換気ユニットによれば、季節毎に湿度に応じた換気量調節が可能なことから、湿度の高い夏場は換気量を増加して放射された有害物質を排出し、冬場は常時換気で生じる過乾燥を防止し、居住者の身体に安全な居室空間を提供することができる。
【発明を実施するための最良の形態】
【００１７】
以下、本発明に係る換気ユニットの実施形態の一例を、添付図面を参照して、詳細に説明する。
【００１８】
図１は、本発明に係る換気ユニットの概略を示す斜視図である。
【００１９】
換気ユニットは、本体１、蓋体２、前面蓋体２ａ、バッキン４により構成される。前面蓋体２ａは、中央部に排出孔５を備え、蓋体２に嵌合可能に取り付けられている。本体の背面及び前面蓋体２ａで覆われた蓋体２の正面（不図示）には、蓋体２を本体１にねじで螺嵌するためのねじ穴が螺設されている。
【００２０】
換気ユニットの材質は、耐熱性に優れる軽量のプラスチック樹脂であることが望ましい。スチレンをモノマーとするポリスチレン等であれば好ましい。
【００２１】
図４は、本発明に係る換気ユニットの左側面図である。
図５は、本発明に係る換気ユニットの平面図である。
【００２２】
換気ユニットの大きさは、縦１５ｍ、横１５ｃｍ、高さ７．５ｃｍと、コンパクトである。
【００２３】
換気ユニットは、屋内の居室壁部材にバッキン４を螺合し、壁部材裏面を縦方向に伸び、屋外の排出口に到達する排気管と容易に接続することができる。これにより、室内の汚染空気を速やかに確実に屋外へ排出することができる。
【００２４】
取付け場所は、局所的な汚染空気の発生源、例えばトイレや台所の排気口に設置する他、居間、書斎、寝室等、用途に合わせて幅広く使用することができる。
【００２５】
図２は、本発明の実施例に係る楕円筒状ストッパー付換気ユニットの内部構造の概略を示す斜視図である。
【００２６】
本体１にねじで螺合されている蓋体２を取り外すと、本体１上面には、本体上面からバッキンまで中空部を有する不図示の四角筒形の排気口、湿度感知手段であるナイロンリボン６ｆを挟持するナイロンリボンホルダー６が固定して取り付けられている。
【００２７】
排気口カバー８は、本体の排気口内周面に嵌合し、底面に開口部を有する不図示の四角筒部本体と、本体の上部端につば状に伸びる縁部８ａ、ツマミ部８ｂ、ダクト（排気端末）８ｃ、軸受手段８ｄ、開口面積調節突起８ｅ、を備えている。
【００２８】
不図示の四角筒部本体は、外周面上に摺動突起を有し、本体の排気口内周面の溝部に該摺動突起を嵌合して取り外し可能に設置されている。
【００２９】
開閉ダンパー７は回動軸７ａ、回動軸７ａの両先端から直角を形成する枝軸である突出端部７ｂ、７ｃを有する。
突出端部７ｂは、回動軸７ａの両先端から回動軸に対して垂直方向に伸びている。他方の突出端部７ｃは、開閉ダンパーとほぼ平行に回動するように、回動軸７ａの両先端から本体底面方向へ伸びている。突出端部７ｃの先端は、終点から垂直方向に伸びる嵌入突起７ｄを形成する。
【００３０】
開閉ダンパー７は一端を回動軸７ａとし、回動軸７ａの始点部及び終点部周辺を排気口カバー８の軸受手段８ｄに嵌合し、回動可能に固定されている。
開閉ダンパー７は、回動軸７ａを軸受手段８ｄに支持され、左方向に回動して、本体の排気口に通じるダクト８ｃを開口する。開閉ダンパー７は、後述する湿度感知手段たるナイロンリボン６ｆの湿度感知結果に応じて、適切に排気を行うために、ダクト８ｃの開口面積を変化させて、換気量調整を行う。
【００３１】
突出端部７ｂは、外周面が肉厚で中空に開口部を有する楕円筒形の楕円筒状ストッパー９の内周面に嵌入する。突出端部７ｂは、開閉ダンパー７が右方向へ回動して、ダクト８ｃを閉止する際、ダクト８ｃが完全に閉口しないように開口面積調節突起８ｅに接触し、開閉ダンパー７の右方向への回動を抑止する。突出端部７ｂと開口面積調節突起８ｅとの間に肉厚の楕円筒状ストッパー９が介在することにより、右方向への回動を効果的に抑止することができる。
【００３２】
突出端部７ｃは、先端から垂直方向に伸びる嵌入突起７ｄを挟持部６ａに挟持されている。挟持部６ａは、後述するように、ナイロンリボン６ｆの湿度感知結果を受けて、伸縮するばね６ｇの一端を巻きつけて保持する軸を備える回動機構６ｄと共に、ナイロンリボンフレーム６の底面下を通る可動板上に固設されている。
【００３３】
突出端部７ｃは、挟持部６ａの左右両方向への回動に伴って、左右両方向に回動し、開閉ダンパー７は、突出端部７ｃに伴って、ほぼ平行に左右両方向へ回動する。
【００３４】
ナイロンリボンフレーム６は、固定部６ｈと可動部６ｌとに分かれる。
【００３５】
固定部６ｈは、本体上面に固定して取り付けられており、回動機構付近の一端に、スリットを形成する。スリットは、回動機構６ｄの支持部６ｅを支持しており、支持部６ｅを介して回動機構６ｄと接続している。また、固定部６ｈは、本体中心部側側面にピン６ｉを有し、可動部６ｌのスリット６ｊを案内している。
【００３６】
可動部６ｌは、スリット６ｊを固定部６ｈの本体中心部側側面のピン６ｉに案内される形で固定部６ｈと平行に支持されている。可動部６ｌは、固定部６ｈに平行に摺動可能である。可動部６ｌは、内部に可動部６ｌを矢印方向へ付勢する不図示のコイルばねを介在し、該コイルばねの弾性に抗して矢印方向に平行に摺動し、該コイルばねの自己弾性復元力で所定位置に押圧される。また、可動部６ｌは、湿度感知手段であるナイロンリボン６ｆの両端を挟持し、ナイロンリボン６ｆの収縮に追従して平行に摺動する。
【００３７】
ナイロンリボン６ｆは、湿度感知手段であって、高湿度を感知すると伸長し、低湿度を感知すると収縮する。ナイロンリボン６ｆは、最大限に伸長した状態で、両端を可動部６ｌの留め具６ｎに挟持されている。ナイロンリボン６ｆが高湿度を感知して伸長する場合には、可動部６ｌは自己の弾性復元力で所定位置に押圧される。反対に、ナイロンリボン６ｆが低湿度を感知して収縮する場合には、可動部６ｌは、不図示のコイルばねにより矢印方向に押圧付勢される。
【００３８】
はね６ｇは、可動部６ｌの保護板６ｍの端部から垂直方向に形勢される円筒状の軸６ｋに一端を巻き付けて支持され、他の一端を、回動機構６ｄから突出した、不図示の円筒状の軸に巻きつけて支持されている。
【００３９】
本発明に係る楕円筒状ストッパー付換気ユニットの動作手順は以下の通りである。
【００４０】
ナイロンリボン６ｆは、湿度の高低を感知し、高湿度の場合に伸長し、
低湿度の場合に収縮する。ナイロンリボン６ｆは、最大限に伸長した状態で両端を可動部６ｌの留め具６ｎに挟持されており、高湿度の場合には、可動部６ｌは不図示のコイルばねの自己弾性復元力で所定位置に押圧される。低湿度の場合には、ナイロンリボン６ｆは中心付近を弛緩させて収縮し、可動部６ｌはナイロンリボン６ｆの収縮に追従して、矢印方向に平行に摺動する。
【００４１】
ナイロンリボン６ｆが高湿度を感知する場合、最大限に伸長した状態で両端を可動部６ｌの留め具６ｎに挟持されているため、高湿度の場合には、可動部６ｌは不図示のコイルばねの自己弾性復元力で所定位置に押圧される。
【００４２】
ばね６ｇは、ナイロンリボン６ｆの伸長に伴って収縮し、ばね６ｇの一端を巻きつけて保持する円筒状の軸を備える回動機構６ｄの先端部は、ばね６ｇの収縮に追従して、本体端部方向へ牽引される。回動機構６ｄと、ナイロンリボンフレーム本体の底面を通る一枚の可動板で接続されている開閉ダンパー制御手段６ｂは、孔６ｃに嵌入突起７ｄを嵌入した状態で、図２のＡ´方向へほぼ平行に摺動する。
【００４３】
開閉ダンパー７の突出端部７ｃは、挟持部６ａに挟持された嵌入突起７ｄを介して、本体端方向へ左回動し、突出端部７ｃに伴い、開閉ダンパー７は、突出端部７ｃにほぼ平行に左回動する。このとき、ダクト８ｃが開口し、開口部面積は最大値となる。
【００４４】
図１０は、本発明に係る楕円筒状ストッパー９の内周面に、突出端部７ｂの外周面を嵌入した場合の、開口面積が最大値の時の状態を示す概略図である。
【００４５】
突出端部７ｂと開口面積調節突起８ｅとの間に肉厚の楕円筒状ストッパー９を介在させても、ダクト８ｃの開口面積の最大値は、楕円筒状ストッパー９を嵌通しない場合と比べて変化しない。
ダクト８ｃの開口面積を十分に確保することにより、汚染空気を速やかに排出することができる。
【００４６】
他方、ナイロンリボン６ｆが低湿度を感知する場合、ナイロンリボン６ｆは、中心付近を弛緩させて収縮する。可動部６ｌは、ナイロンリボン６ｆの収縮に追従して、矢印方向に平行に摺動する。
【００４７】
ばね６ｇは、ナイロンリボン６ｆの収縮に伴って伸長し、支持部６ｅに支持される回動機構６ｄの先端は、ばね６ｇの付勢によって本体端方向から本体中心部へ牽引される。ナイロンリボンフレーム６の底面下隙間を通る一枚の可動板で、回動機構６ｄと接続されている開閉ダンパー制御手段６ｂは、孔６ｃに嵌入突起７ｄを嵌入した状態で、本体中央部方向へ摺動する。
【００４８】
開閉ダンパー７の突出端部７ｃは、挟持部６ａに挟持された嵌入突起７ｄを介して、本体中央部方向へ回動し、突出端部７ｃに伴い、開閉ダンパー７は、突出端部７ｃにほぼ平行に中心部方向へ右回動し、ダクト８ｃを閉口しようとする。このとき、ダクト８ｃの開口部面積は最小値となるが、突出端部ｂの外周上に嵌通する楕円筒状ストッパー９と、開口面積調節突起８ｅの接触により、開閉ダンパー７は右方向への回動を停止し、ダクト８ｃは定めた面積（湿度５０％に相当する開口位置を保持）以上に閉口することはない。
【００４９】
図９は、本発明に係る楕円筒状ストッパーに開閉ダンパーの突出端部を嵌入した場合の、開口面積が最小値の時の状態を示す概略図である。
【００５０】
突出端部７ｂと開口面積調節突起８ｅとの間に肉厚の楕円筒状ストッパー９が介在することにより、開口面積の最小値を従来よりも大きくすることができる。
【００５１】
以上のように、ダクト８ｃが完全に閉口することを防止し、ダクト８ｃの開口面積の最小値を大きく設けることで、必要に応じた最低換気量を確保し、汚染度合いに応じて、局所的な汚染空気を確実に速やかに屋外に排出するができる。
【００５２】
図８は、図２のＡ−Ａ´線における断面の概略図である。
【００５３】
突出端部７ｂの外周面上に、楕円筒形の楕円筒状ストッパー９を嵌通することにより、楕円筒状ストッパー９の下端部は開口面積調節突起８ｅに接触し、それ以上下降することはできない。楕円筒状ストッパー９と開口面積調節突起８ｅの接触に伴い、突出端部７ｂ、突出端部ｃ、及び突出端部７ｃの先端から垂直方向に伸びる嵌入突起７ｄは回動を停止する。嵌入突起７ｄを挟持部６ａの孔６ｃに嵌入している開閉ダンパー制御手段６ｂも、孔６ｃに嵌入突起７ｄを嵌入した状態で停止し、開閉ダンパー７も本体中心部方向への回動を停止する。
【００５４】
続いて、コ字状ストッパー付電動換気ユニットの実施例について説明する。
【００５５】
本実施例に係るコ字状ストッパー付電動換気ユニットは、ナイロンリボンの湿度感知結果に関わらず、電動モーターを駆動させることにより、開閉ダンパーを制御することができる。従って、必要に応じて速やかに局所換気を行うことができる。
【００５６】
図３は、本発明の実施例に係るコ字状ストッパー付電動換気ユニットの内部構造の概略を示す斜視図である。
【００５７】
本体１にねじで螺合されている蓋体２を取り外すと、本体１上面には、本体上面からバッキンまで中空部を有する不図示の四角筒形の排気口、湿度感知手段であるナイロンリボン６ｆを挟持するナイロンリボンホルダー６、モーター１０、ホルダー１１、電池取付具１３、が固定して取り付けられている。
【００５８】
排気口カバー８及び開閉ダンパーの構成は、楕円筒状ストッパー付換気ユニットと同様であるので、段落００２７乃至００３０の記載を参照されたい。本実施例においては、ダクトの開口部が、定めた面積を保持できる位置（湿度５０％を確保する位置）で開閉ダンパーを停止させるために、楕円筒状ストッパー９の代わりに、コ字状ストッパー３を用いる。
【００５９】
本発明に係るコ字状ストッパー付電動換気ユニットの動作手順は以下の通りである。
【００６０】
モーター１０は、ホルダー１１内部にあって、不図示のラック板１２と噛み合う不図示のピニオン（小歯車）に接続している。
モーター１０は、室内の壁部材に設けた不図示の電源スイッチを入れることにより駆動する。電源スイッチは、照明器具用の型と同様のオンオフ切替え型でよい。
【００６１】
ピニオン（小歯車）は、モーター１０からの動力を受けて回転し、ラック板１２と噛み合い、ラック板摺動部１２ａに直線運動を促す。
【００６２】
ラック板１２の摺動部１２ａは、ホルダー１１の台座部１１ｂに載置され、台座部１１ｂ上に隆起する突起１１ｃにより、先端付近を上下方向から保持されて軸方向に案内される。
【００６３】
回動軸７ａの、不図示の他方の突出端部７ｂは、回動軸７ａの先端から回動軸に対して垂直方向に伸びている。突出端部７ｃは、開閉ダンパー７とほぼ平行に回動するように、回動軸７ａ先端部から本体底面方向へ伸びている。突出端部７ｃの先端は、終点から垂直方向に伸びる、不図示の嵌入突起７ｄを形成する。
【００６４】
ラック板摺動部１２ａは、中央部付近に、先端部と平行な断面を有する不図示の切欠を有する。該切欠には突出端部７ｃの先端から垂直方向に伸びる嵌入突起７ｄを当接させる。
【００６５】
ラック板摺動部１２ａは、切欠の垂直な断面に嵌入突起７ｄを当接させた状態で、台座部１１ｂ上を軸方向へ摺動する。
嵌入突起７ｄがラック板摺動部１２ａによって、軸方向に押圧されるのに伴って、開閉ダンパーの突出端部７ｃは、嵌入突起７ｄを介して、本体端方向へ左回動し、突出端部７ｃに伴って開閉ダンパー７は突出端部にほぼ平行に左回動する。開閉ダンパー７が左回動すると、ダクト８ｃが開口する。
【００６６】
本実施例においては、ダクト８ｃの開口部面積が定めた面積に相当する開口位置を保持するように、開閉ダンパー７の左回動を停止するため、楕円筒状ストッパー９に代えてコ字状ストッパー３を用いる。
【００６７】
図１１はコ字状ストッパーの概略図である。
【００６８】
コ字状ストッパー３は、中心線（Ｂ）が、台座部１１ｂ軸方向に対して垂直になるように、側面をラック板摺動部１２ａの先端に当接させて、台座部１１ｂ上に載置する。
【００６９】
ラック板摺動部１２ａの先端部は、軸方向へ摺動する途中で、コ字状ストッパー３の側面に対して垂直に接触する。ラック板摺動部１２ａは、モーターの動力を受けて、軸方向へ摺動を続けようとするが、コ字状ストッパーに接触するため、当接した位置よりも軸方向へ摺動することができない。ラック板摺動部１２ａは、コ字状ストッパー３の側面に垂直に当接した位置でコ字状ストッパー３の側面に力を加えたまま接触位置を保持し続ける。
【００７０】
ラック板摺動部１２ａ中央部付近の切欠に当接して軸方向へ押圧されていた嵌入突起７ｄは、ラック板摺動部１２ａが、軸方向へ摺動を続けられなくなるのに伴い、本体端方向への左回動を停止する。
【００７１】
嵌入突起７ｄを介して左回動していた開閉ダンパーの突出端部７ｃは、嵌入突起７ｄが本体端方向への左回動を停止するのに伴い、本体端方向へ左回動を停止する。
【００７２】
開閉ダンパー７は、開閉ダンパーの突出端部７ｃが本体端方向へ左回動を停止するのに伴い、左回動を停止する。開閉ダンパー７は、ダクト８ｃの開口部面積が、定めた面積を確保できるような位置に達したときに、左回動を停止する。
【００７３】
開閉ダンパー７は、ラック板摺動部１２ａが、モーターの動力を受けて、コ字状ストッパー３と接触して軸方向へ力を加え続けるのに伴い、モーターの動力に逆らって、停止位置よりも右回動することはできなくなる。開閉ダンパー７が停止位置よりも、右方向に回動できなくなる結果、ダクト８ｃの開口部面積は定めた面積に相当する開口位置を保持し、開口面積が更に小さくなることはない。
【００７４】
ナイロンリボン６ｆが、湿度感知の結果、定めた面積よりも高湿度を感知する場合には、開閉ダンパー７は、回動を停止した位置から更に左回動することは可能である。開閉ダンパー７が停止位置よりも左回動する結果、ダクト８ｃの開口部面積は、定めた面積に相当する開口位置よりも拡大する。
【００７５】
開閉ダンパー７ｃが、ダクト８ｃが定めた面積に相当する開口位置に達して左方向への回動を停止した場合、ナイロンリボン６ｆの湿度感知結果によって再び左方向へ回動を開始する動作は次の通りである。
【００７６】
ナイロンリボン６ｆは、湿度の高低を感知し、高湿度の場合に伸長し、
低湿度の場合に収縮する。ナイロンリボン６ｆは、最大限に伸長した状態で両端を可動部６ｌの留め具６ｎに挟持されており、高湿度の場合には、可動部６ｌは不図示のコイルばねの自己弾性復元力で所定位置に押圧される。低湿度の場合には、ナイロンリボン６ｆは中心付近を弛緩させて収縮し、可動部６ｌはナイロンリボン６ｆの収縮に追従して、矢印方向に平行に摺動する。
【００７７】
ナイロンリボン６ｆが高湿度を感知する場合、最大限に伸長した状態で両端を可動部６ｌの留め具６ｎに挟持されているため、高湿度の場合には、可動部６ｌは不図示のコイルばねの自己弾性復元力で所定位置に押圧される。
【００７８】
ばね６ｇは、ナイロンリボン６ｆの伸長に伴って収縮し、ばね６ｇの一端を巻きつけて保持する円筒状の軸を備える回動機構６ｄの先端部は、ばね６ｇの収縮に追従して、本体端部方向へ牽引される。回動機構６ｄと、ナイロンリボンフレーム本体の底面を通る一枚の可動板で接続されている開閉ダンパー制御手段６ｂは、孔６ｃに嵌入突起７ｄを嵌入した状態で、図３のＡ´方向へほぼ平行に摺動する。
【００７９】
開閉ダンパー７の突出端部７ｃは、挟持部６ａに挟持された嵌入突起７ｄを介して、本体端方向へ左回動し、突出端部７ｃに伴い、開閉ダンパー７は、突出端部７ｃにほぼ平行に左回動する。
【００８０】
他方の嵌入突起７ｄは、ラック板摺動部１２ａが、先端をコ字状ストッパー３に当接し、軸方向への摺動を続けることができなくなっても、切欠から逃げる形で左回動が可能である。このとき、開閉ダンパー７は、左方向への回動を停止した位置から更に左回動することができる。その結果、ダクト８ｃの開口部面積は、定めた面積に相当する開口位置よりも拡大する。ダクト８ｃの開口部面積は湿度感知結果によっては最大値まで拡大可能である。
【００８１】
他方、ナイロンリボン６ｆが低湿度を感知する場合、ナイロンリボン６ｆは、中心付近を弛緩させて収縮する。可動部６ｌは、ナイロンリボン６ｆの収縮に追従して、矢印方向に平行に摺動する。
【００８２】
ばね６ｇは、ナイロンリボン６ｆの収縮に伴って伸長し、支持部６ｅに支持される回動機構６ｄの先端は、ばね６ｇの付勢によって本体端方向から本体中心部へ牽引される。ナイロンリボンフレーム６の底面下隙間を通る一枚の可動板で、回動機構６ｄと接続されている開閉ダンパー制御手段６ｂは、孔６ｃに嵌入突起７ｄを嵌入した状態で、本体中央部方向へ摺動する。
【００８３】
開閉ダンパー７の突出端部７ｃは、挟持部６ａに挟持された嵌入突起７ｄを介して、本体中央部方向へ右回動し、突出端部７ｃに伴い、開閉ダンパー７は、突出端部７ｃにほぼ平行に中心部方向へ右回動し、ダクト８ｃを閉口しようとする。
【００８４】
しかし、モーター１０の動力を受けているラック板摺動部１２ａは、コ字状ストッパー３の側面に垂直に当接した位置で、コ字状ストッパーの側面に力を加えたまま、接触位置を保持し続ける。
【００８５】
そのため、ラック板摺動部１２ａ中央部付近の切欠に当接して軸方向へ押圧されていた嵌入突起７ｄは、ラック板摺動部１２ａが、モーター１０の動力を受けて接触位置を保持し続けるのに伴い、右方向に対しては、回動することなく停止状態を保持する。
【００８６】
嵌入突起７ｄを介して回動していた開閉ダンパーの突出端部７ｃも、嵌入突起７ｄが停止状態を保持するのに伴い、右方向への停止状態を保持する。
【００８７】
開閉ダンパー７は、開閉ダンパー７の突出端部７ｃが右方向への停止状態を保持するのに伴い、右方向への停止状態を保持する。開閉ダンパーが、ダクト８ｃの開口部面積が定めた面積に相当する開口位置で、右方向への停止状態を保持する結果、ダクト８ｃの開口部面積は、定めた面積を確保する値より減少することはない。
【００８８】
以上のように、本実施例に係るコ字状ストッパー付電動換気ユニットによれば、開閉ダンパー７を完全に閉口することなく、ダクト８ｃの開口部面積を、定めた面積に相当する開口位置に保持し、更に高湿度の場合には開閉ダンパーを制御することにより換気を行うことができる。これにより、必要に応じて最低換気量を確保することができる。
また局所的な空気を確実に速やかに屋外へ排出することにより、該汚染空気を他の部屋に流通させないよう空気の流通を制御することができる。
さらに、季節に応じて換気量を調節し、夏場はホルムアルデヒド等の有害物質の発生を抑止し、冬場は常時換気で生じる過乾燥を防止することができる。
【００８９】
本実施例に係るコ字状ストッパー付電動換気ユニットは、室内照明器具と同様のオンオフ切り替えスイッチにより、容易に電源を入れることにより駆動する。これにより、必要に応じて速やかに最低換気量を確保することができる。また、該汚染空気は他の居室内を通ることなく、速やかに屋外に排出されることから、居室全体の空気の流通を制御することもできる。
【００９０】
本実施例に係るコ字状ストッパー付電動換気ユニットの取付け場所については、トイレ等、局所的な汚染空気の発生源の他、台所、書斎、居間等で良い。取付場所に制限はなく、必要に応じて応接や廊下等に設置してもよい。
【図面の簡単な説明】
【００９１】
【図１】本発明に係る換気ユニットの概略を示す斜視図である。
【図２】本発明の実施例に係る、楕円筒状ストッパー付換気ユニットの内部構造の概略を示す斜視図である。
【図３】本発明の実施例に係る、コ字状ストッパー付電動換気ユニットの内部構造の概略を示す斜視図である。
【図４】本発明に係る換気ユニットの左側面図である。
【図５】本発明に係る換気ユニットの平面図である。
【図６】従来の一定量換気システムを用いた場合の日中の居室内の汚染空気の流通を示す概略図である。
【図７】本発明に係る換気ユニットを用いた場合の居室内の汚染空気の流通を示す概略図である。
【図８】図２のＡ−Ａ´線における断面の概略図である。
【図９】本発明に係る楕円筒状ストッパーに開閉ダンパーの突出端部を嵌入した場合の、開口面積が最小値の時の状態を示す概略図である。
【図１０】本発明に係る楕円筒状ストッパーの内周面に、突出端部の外周面を嵌入した場合の、開口面積が最大値の時の状態を示す概略図である。
【図１１】本発明に係る、コ字状ストッパーの概略図である。
【符号の説明】
【００９２】
１・・・・・換気ユニット
１ａ・・・・本体端部
２・・・・・蓋体
２ａ・・・・前面蓋体
３・・・・・コ字状ストッパー
４・・・・・バッキン
５・・・・・排出孔
６・・・・・ナイロンリボンフレーム
６ａ・・・・挟持部
６ｂ・・・・開閉ダンパー制御手段
６ｃ・・・・孔
６ｄ・・・・回動機構
６ｅ・・・・支持部
６ｆ・・・・ナイロンリボン
６ｇ・・・・ばね
６ｈ・・・・固定部
６ｉ・・・・ピン
６ｊ・・・・スリット
６ｋ・・・・軸
６ｌ・・・・可動部
６ｍ・・・・保護板
６ｎ・・・・留め具
７・・・・・開閉ダンパー
７ａ・・・・回動軸
７ｂ・・・・突出端部
７ｃ・・・・突出端部
７ｄ・・・・嵌入突起
８・・・・・排気口カバー  
８ａ・・・・縁部
８ｂ・・・・ツマミ部
８ｃ・・・・ダクト
８ｄ・・・・軸受手段
８ｅ・・・・開口面積調節突起
９・・・・・楕円筒状ストッパー
１０・・・・モーター
１１・・・・ホルダー
１１ａ・・・本体
１１ｂ・・・台座部
１１ｃ・・・突起
１２・・・・ラック板
１２ａ・・・摺動部
１３・・・・電池取付具
【図１】
2008175416.tif 000003
【図２】
2008175416.tif 000004
【図３】
2008175416.tif 000005
【図４】
2008175416.tif 000006
【図５】
2008175416.tif 000007
【図６】
2008175416.tif 000008
【図７】
2008175416.tif 000009
【図８】
2008175416.tif 000010
【図９】
2008175416.tif 000011
【図１０】
2008175416.tif 000012
【図１１】
2008175416.tif 000013